(57)【要約】      （修正有）【課題】精度良く且つ効率よく組立取付作業が行えるようにした開閉体用ガイドレール枠の取付構造及び取付方法を提供する。【解決手段】外枠２８は、建物駆体１の開口部に固定される取付ベース２８１並びに内側片２８２及び外側片２８３とが金属板により略変形コ状に形成され、外側片は取付ベースの板面方向に対し、直角よりやや内向き傾斜状に形成されており、外枠にガイドレール枠３０が取り付けられた状態において、外側片の先端縁部に突出形成された外枠側係合爪２８３ａとガイドレール枠側係合爪３０２ａとが、係止され、内側片の開放端と内側取付片３０３とは重合されて固定具Ｂ２によって固定され、内側取付片３０２下端にはテーパ面３０３ａが形成され、内側片２８２には傾斜面２８２ａが形成され、内側片には、内側取付片が重合された状態において、傾斜面２８２ａとテーパ面３０３ａとが密着し平行かつ面一となって接合固定される。【選択図】図６
2020023844.tif 000002
【特許請求の範囲】
【請求項１】
建物駆体（１）の開口縁に固定される外枠（２８）と、該外枠に連結されて開閉体（２４）の縁部が挿入されるレール開口部を有するガイドレール枠（３０）とを有し、
前記外枠とガイドレール枠とは建物駆体開口部の両側に沿ってレール開口部が対向すべく縦方向に連続して形成され、外枠には縦方向に連続して取付解放部が形成され、取付解放部を構成する一方及び他方の縁に、ガイドレール枠に設けられた内側及び外側取付片（３０２，３０３）が接合されることにより、外枠にガイドレール枠が組み付けられる開閉体用ガイドレールの取付構造において、
前記外枠は、前記駆体の開口部側面に固定される取付ベース（２８１）並びに内側片（２８２）及び外側片（２８３）とが弾性を有する金属板により略変形コ状に形成され、外側片は取付ベースの板面方向に対し、自然状態で直角よりやや内向き傾斜状に形成されており、外枠の前記取付開放部にガイドレール枠が取り付けられた状態において、前記外側片の先端縁部に内向きに突出形成された外枠側係合爪（２８３ａ）とガイドレール枠側係合爪（３０２ａ）とが、係止され、
前記内側片の開放端と前記内側取付片（３０３）とは内外方向に重合されて固定具によって固定されるとともに、内側取付片下端には内方向上向きとなるテーパ面（３０３ａ）が形成されている一方、内側片には内方向下向きの傾斜面（２８２ａ）が形成され、内側片には、内側取付片が重合された状態において、前記傾斜面と前記テーパ面とが密着し、平行かつ面一となって接合固定されていることを特徴とする開閉用ガイドレールの取付構造。
【請求項２】
前記外枠はアルミ合金により形成され、外枠の前記外側片は、その前記取付ベースの板面方向に対し、自然状態で略９１度の内向き傾斜状に形成され、前記固定具によって前記内側片の開放端と前記内側取付片とが密着状態で内外方向に重合固定された状態では、外枠の前記外側片は、その前記取付ベースの板面方向に対し、直角とされていることを特徴とする請求項１記載の開閉用ガイドレールの取付構造。
【請求項３】
前記ガイドレール枠のレール開口部を形成するスラットカーテンのガイドの内側には、鋼製の異形押し出し成形体からなる略コ字型のライナーが嵌合固定され、該ライナーの先端側はスラットガイドの開口端内側に突設された内側突起によって抜け止めされていることを特徴とする請求項１または２記載の開閉用ガイドレールの取付構造。
【請求項４】
請求項１に記載の開閉用ガイドレールの取付方法において、
前記建物躯体に前記外枠を取付固定する外枠取付工程と、
外枠取付工程により取付固定された外枠の前記取付開放部に、前記ガイドレール枠の前記ガイドレール側係合爪と前記外枠の前記外枠側係合爪とを係合させ、ガイドレール枠の前記内側取付片下端の前記テーパ面と外枠の前記内側片の前記傾斜面との間に内外方向に隙間がある状態で、外枠にガイドレール枠を係合保持させるガイドレール枠保持工程と、  前記ガイドレール枠の前記内側取付片と前記外枠の内側片とを前記固定具により密着固定させることにより、前記テーパ面と前記傾斜面との間の隙間を密着させる取付固定工程と、を行わせることを特徴とする開閉用ガイドレールの取付方法。
【発明の詳細な説明】
【技術分野】
【０００１】
本発明は、建物用シャッターとしての開閉体用ガイドレールの取付構造及び取付方法に関するものである。
【背景技術】
【０００２】
上記開閉体を構成するスラットカーテンの両端を昇降ガイドするための一対のシャッターガイドとして、ほぼ中空箱形に造形され、そのガイド面を建物開口の内側に向けて開口させたものが知られている（例えば特許文献１参照）。
【０００３】
図８は、そのシャッターガイドの１例を示すものである。図８におけるシャッターガイドは建物駆体１の開口面に固定され、かつ両側解放した外枠２と、外枠２の両側開放端（図では上側に示す）に組み付けられ、かつ内方に向けて開口する略コ字形ガイドレール枠３とを備えている。外枠２は建物駆体１の開口面に固定される取付ベース２ａと、取付ベース２ａの内側に直角の屈曲角度をなしてＬ及び逆Ｌ字形に折曲形成された内側片２ｂと、取付ベース２ａの外側に直角の屈曲角度をなして形成された外側片２ｃからなり、内側片２ｂの開放端は図８の円内に拡大して示すように、段差２ｄを設けて内側に後退する取付面２ｅが形成され、該段差２ｄ内にはガイドレール枠３側の内側接続端が接合されている。また、外枠２の外側片２ｂの開放端内側には係合爪２ｆが形成されている。
【０００４】
ガイドレール枠３は、内側（図では左側に示す）に向けて開口した略コ字型断面のスラットカーテンのガイド３ａと、ガイド３ａの外側に一直線状に延設された外側取付片３b と、ガイド３ａの開口端に垂設された内側取付片３ｃとからなる。外側取付片３ｂの端部背面には前記係合爪２ｆに係合する係合爪３ｄが設けられている。
【０００５】
従ってガイドレール枠３の外側端を係合爪２ｆ，３ｄを介して外側片２ｃに係合するとともに、ガイドレール枠３の内側端の取付片３c を取付面２ｅに押し当て、タッピングネジよりなるネジ固定具Ｂ２をねじ込んで接合すれば、箱形に造形される。
【先行技術文献】
【特許文献】
【０００６】
【特許文献１】特開２０１８−３５４３号公報
【発明の概要】
【発明が解決しようとする課題】
【０００７】
固定具Ｂ２のねじ込み位置において、取付片３ｃの先端が図８（ａ）の位置であって、段差２ｄの内側に収まっていれば精度良く組立できる。しかし、図８（ｂ）に示すように寸法誤差などにより取付片３c が長く、その先端が段差２ｄを乗り越えた場合には、ビスＢ１が斜めにねじ込まれ、スラットガイド３ａの内方への解放方向の直線性が損なわれ、この箇所に両端挿通されるスラットカーテン（図略）のスムーズな昇降が不能となるか、あるいは接合部の重合により面一性が損なわれかねない。
【０００８】
本発明は以上の課題を解決するものであり、公差や設計誤差により、多少の誤差が生じていても、精度良く且つ効率よく組立取付作業が行えるようにした開閉体用ガイドレール枠の取付構造及び取付方法を提供することを目的とする。
【課題を解決するための手段】
【０００９】
以下に、図の実施形態を参照して、上記の課題を解決するための手段を説明する。
本発明の請求項１に記載される開閉用ガイドレールの取付構造は、建物駆体１の開口縁に固定される外枠２８と、該外枠２８に連結されて開閉体２４の縁部が挿入されるレール開口部を有するガイドレール枠３０とを有している。前記外枠２８とガイドレール枠３０とは建物駆体開口部の両側に沿ってレール開口部が対向すべく縦方向に連続して形成され、外枠２８には縦方向に連続して取付解放部が形成され、取付解放部を構成する一方及び他方の縁に、ガイドレール枠３０に設けられた内側及び外側取付片３０２，３０３が接合されることにより、外枠２８にガイドレール枠３０が組み付けられる開閉体用ガイドレールの取付構造を有している。
前記外枠２８は、前記駆体１の開口部側面に固定される取付ベース２８１並びに内側片２８２及び外側片２８３とが弾性を有する金属板により略変形コ状に形成され、外側片２８３は取付ベース２８１の板面方向に対し、自然状態で直角よりやや内向き傾斜状に形成されており、外枠２８の前記取付開放部にガイドレール枠３０が取り付けられた状態において、前記外側片２８３の先端縁部に内向きに突出形成された外枠側係合爪２８３ａとガイドレール枠側係合爪３０２ａとが、係止されている。
前記内側片２８２の開放端と前記内側取付片３０３とは内外方向に重合されて固定具Ｂ２によって固定されるとともに、内側取付片３０２下端には内方向上向きとなるテーパ面３０３ａが形成されている一方、内側片２８２には内方向下向きの傾斜面２８２ａが形成され、内側片２８２には、内側取付片３０２が重合された状態において、前記傾斜面２８２ａと前記テーパ面３０３ａとが密着し、平行かつ面一となって接合固定されていることを特徴とする。
【００１０】
本発明の、請求項２の取付構造では、前記外枠２８はアルミ合金により形成され、外枠２８の前記外側片２８３は、その前記取付ベース２８１の板面方向に対し、自然状態で略９１度の内向き傾斜状に形成され、前記固定具Ｂ２によって前記内側片２８２の開放端と前記内側取付片３０３とが密着状態で内外方向に重合固定された状態では、外枠２８の前記外側片２８３は、その前記取付ベース２８１の板面方向に対し、直角（９０度）とされていることを特徴とする請求項１記載の開閉用ガイドレールの取付構造にある。
【００１１】
本発明の、請求項３の取付構造では、前記ガイドレール枠３０のレール開口部を形成するスラットカーテンのガイド３０１の内側には、鋼製の異形押し出し成形体からなる略コ字型のライナー４０が嵌合固定され、該ライナー４０の先端側はスラットガイド３０１の開口端内側に突設された内側突起３０１ａによって抜け止めされていることを特徴とする請求項１または２記載の開閉用ガイドレールの取付構造にある。
【００１２】
本発明の、請求項４の取付方法は、請求項１に記載の開閉用ガイドレールの取付方法において、
前記建物躯体１に前記外枠２８を取付固定する外枠取付工程と、
外枠取付工程により取付固定された外枠２８の前記取付開放部に、前記ガイドレール枠３０の前記ガイドレール側係合爪３０２ａと前記外枠２８の前記外枠側係合爪２８３ａとを係合させ、ガイドレール枠３０の前記内側取付片３０３下端の前記テーパ面３０３ａと外枠２８の前記内側片２８２の前記傾斜面２８２ａとの間に内外方向に隙間がある状態で、外枠２８にガイドレール枠３０を係合保持させるガイドレール枠保持工程と、
前記ガイドレール枠３０の前記内側取付片３０２と前記外枠２８の内側片２８２とを前記固定具により密着固定させることにより、前記テーパ面３０３ａと前記傾斜面２８２ａとの間の隙間を密着させる取付固定工程と、
を行わせることを特徴とする開閉用ガイドレールの取付方法にある。
【発明の効果】
【００１３】
本発明にあっては、互いに接合されて組み付けられる開閉用ガイドレールの外枠とガイドレール枠との間に、誤差乃至公差による、微細な製品誤差が生じていても、係合爪同士を係合した後は固定具による結合により形状修正され、施工現場における施工効率を向上させ、組立精度を向上させることができる。
【００１４】
また、請求項３の構造を採用することにより、強度、耐熱性が増すため、防盗性、耐火性に富むものとなる。
【００１５】
さらに、請求項４の本発明取付方法によれば、組立手順の順守により、精度良く且つ効率よく取付組立することが可能となる。
【図面の簡単な説明】
【００１６】
【図１】本発明が適用される窓用シャッターの外観姿図である。
【図２】本発明の一実施形態に係る外枠の平断面図と一部拡大図である。
【図３】同ガイドレール枠の平断面図と一部拡大図である。
【図４】同外枠とガイドレール枠との結合関係を示す分解斜視図である。
【図５】同外枠とガイドレール枠との係合状態において固定具による接合前の状態を示す平断面図である。
【図６】同外枠とガイドレール枠との係合状態において固定具による接合後の状態を示す平断面図である。
【図７】本発明の他の実施形態に係る固定具による接合後の状態を示す平断面図である。
【図８】（ａ）は従来の外枠とスラット枠との接合後の組立状態における平断面形状と一部拡大図、（ｂ）はその不具合状態を説明する一部拡大図である。
【発明を実施するための形態】
【００１７】
以下本発明の実施の形態を説明する。
（第１実施形態）
図１乃至図６は、本発明の第１実施形態を示す。
図１は、本発明に係る開閉体用ガイドレールの取付構造が適応される建物用シャッターとしての巻き取り式シャッター（軽量シャッタ−）を装備した窓シャッターを示す。
本発明に係る開閉体用ガイドレールの取付構造は、スラットカーテンによるシャッターの他、ガラリシャッター、或いは、シートシャッターカーテンによる開閉体用ガイドレールにも適応できる。
【００１８】
図１の窓シャッターでは、建物駆体１の開口部両側の上下及び両側部には縦横の窓枠サッシ１０がはめ込み固定され、その内側には窓板１２ａをはめ込んだ一対の窓サッシ１２が互いに横移動により開閉可能に配置されている。窓枠サッシ１０の前部側には巻き取り式のシャッター１４が配置されている。
【００１９】
シャッター１４は、前記建物駆体１の開口部における縦方向両側に固定配置された一対のシャッターガイド１６と、両シャッターガイド１６の下端同士を連結して横設された底板１８と、両シャッターガイド１６の上端に横設された収納ケース部２０と、上端を収納ケース部２０内に設けた図示しない巻き取り機構により巻き取り可能に横設され、かつ両シャッターガイド１６間に両端ガイドされて昇降可能なシャッターカーテン２４と、シャッターカーテン２４の下端部に連結され、底板１８に着底可能な座板２６とを備えている。図示の状態からシャッターカーテン２４を完全に巻き取った状態で、窓部は全面解放され、下部まで繰り出した状態で座板２６を底板１８上に着底させることにより、窓部を完全閉鎖する。
【００２０】
シャッターガイド１６は、建物駆体１の開口部両側縁に固定される一対の外枠２８と、外枠２８の内側に組み付けられ、その略コ字形案内開口を内方に向けたガイドレール枠３０とからなっている。
【００２１】
図２，図３は外枠２８、及びガイドレール枠３０の部品単体を、図４は外枠２８とガイドレール枠３０との組付け関係を示している。
外枠２８とガイドレール枠３０はいずれもアルミ合金による押し出し成形体からなるものである。
図２，図４に示す外枠２８は、建物駆体１の開口部内側に縦方向に沿って固定される取付ベース２８１と、取付ベース２８１の一側部にＬ及び逆Ｌ字形をなして一体に屈曲形成された内側片２８２と、取付ベース２８１の他側部に一直線上に屈曲された外側片２８３とからなる。外枠２８は、取付ベース２８１並びに内側片２８２及び外側片２８３とが弾性を有する金属板により略変形コ状に形成されている。このうち内側片２８２はベース片２８１に対し、それぞれ直角をなして屈曲形成されているのに対し、外側片２８３はベース片２８１に対して外側９１度、すなわち内向きは８９度の傾斜角度をなして屈曲形成されている。そして、内側片２８２の開放端（図２では上端側に示す）には、傾斜部２８２ａを介して、やや外向けに後退した位置において、ビス止め面２８２ｂが連続して立ち上げ状に形成されている。内側片２８２のビス止め面２８２ｂは、内側片２８２の本体部分よりやや厚みの厚い板形状とされ、ガイドレール枠３０の内側取付片３０３と重合してビス止めされるように形成されている。また外側片２８３の開放端内側には断面Ｌ字形の係合爪２８３ａが一体形成されている。
【００２２】
次に図３、図４において、ガイドレール枠３０は内向きに解放した（図３では左端側を示す）断面略コ字状のスラットカーテンのガイド３０１と、ガイド３０１の外側一端に直線状をなして一体に延設された外側取付片３０２と、ガイド３０１の開放端内側に直角をなして一体に錘設された内側取付片３０３とを備えている。
【００２３】
ガイド３０１の開放端内側にはシール材の嵌合と補強を兼用する一対の突起部３０１ａ，３０１ａが対向突設され、内奥中間壁部にはスラット端部の抜け止め用の一対の抜止突起３０１ｂ，３０１ｂがそれぞれ対向突設されている。
【００２４】
外側取付片３０２の端部内側には、上記外枠２８側の係合爪２８３ａにハゼ込み式に係合する係合爪３０２ａが形成されている。内側取付片３０３は直線状であってその先端部は上記内側片２８２の傾斜面２８２ａに添接されて同一面となるテーパ面３０３ａが形成されている。
【００２５】
以上におけるシャッターガイド１６の取付現場における、組立取付方法は次の通りである。
まず建物駆体１の開口部側面に外枠２８の取付ベース２８１を木ねじ固定具Ｂ１で固定する外枠取付工程を行わせる。外枠取付工程の後、外枠２８の係合爪２８３ａにガイドレール枠３０側の係合爪３０２ａを挿通すれば、係合爪２８３ａ，３０２ａ同士が係合してほぼ直角状に組み付けられる。組み付け状態では図５に示すように、外枠２８の内側片２８２の取付面とガイドレール枠３０の取付片３０３との間には所定の隙間Ｄが形成された状態であるガイドレール枠保持工程を行わせる。
【００２６】
これは元々取付ベース２８１に対する外側片２８３の傾斜角度が内向きには８９度の角度をなして屈曲していることと、係合爪２８３ａ，３０２ａ同士が精度良く係合されているためであり、その分内側片２８２の取付面２８２ｂと取付片３０３とが隙間Ｄ分離れて組み付けられるからである。
【００２７】
次いでこのガイドレール枠保持工程の状態から内側取付片３０３の各ねじ孔位置にタッピングビスよりなる固定具Ｂ２をねじ込んで取付面２８２ｂに結合すれば、係合爪２８３ａ，３０２ａ同士の結合部が内側に引き寄せられる結果、外側片２８３が弾性変形してベース片２８１とのなす角度が精度良く直角（９０度）に修正され、図６に示すように外枠２８とガイドレール枠３０とは精度良く一体的に組み付けられる。また内側取付片３０３の先端がテーパ面３０３ａとなっており、内側片２８２に形成した傾斜面２８２ａに対して面一状に連結されるため、この部分が乗り上げる虞もなく、同一面状に精度良く結合できる取付固定工程が行われる。
【００２８】
施工現場における上記外枠取付工程、ガイドレール枠保持工程、取付固定工程が順次行われて、シャッターガイド１６が現場において、取付施工される。
【００２９】
この取付施工状態において、シャッターカーテン２４の端部をガイド３０１内に挿通することにより、スラットフック２４ａが抜止突起３０１ｂの奥部に係合して、シャッターカーテン２４はスラットガイド３０１に対して抜け止め状態、かつ昇降可能に取り付けられることになる。
【００３０】
（第２実施形態）
図７は以上のシャッター枠１６の変形例である第２実施形態を示している。
図７において内方に開口した中空略コ字型のガイド３０１の内側には鋼材の異形押し出し成形体からなる略コ字型のライナー４０が嵌合固定されている。ライナー４０の先端側は内側突起３０１ａによって抜け止めされる。
【００３１】
本実施の形態によれば、鋼製ライナー４０によりスラットガイド３０１が補強されて強度が増し、かつ耐熱性も増すので、防盗性、耐熱性が向上する。
【００３２】
第２実施形態において、上記第１実施形態と対応する図の構成部分には、共通の参照符号を付して、その詳細な説明は省略した。
【符号の説明】
【００３３】
１  建物駆体
１０  窓枠サッシ
１２  窓サッシ
１２ａ  窓板
１４  巻き取り式シャッター
１６  シャッターガイド
１８  底板
２０  収納ケース
２４  シャッターカーテン
２６  座板
２８  外枠
３０  ガイドレール枠
４０  ライナー
４０ａ  抜止突起
２８１  取付ベース
２８２  内側片
２８２ａ  傾斜面
２８２ｂ  取付面
２８３  外側片
２８３ａ、３０２ａ  係合爪
３０１  ガイド
３０１ａ  突起部
３０１ｂ  抜止突起
３０２  内側取付片
３０３  外側取付片
３０３ａ  テーパ面
【図１】
2020023844.tif 000003
【図２】
2020023844.tif 000004
【図３】
2020023844.tif 000005
【図４】
2020023844.tif 000006
【図５】
2020023844.tif 000007
【図６】
2020023844.tif 000008
【図７】
2020023844.tif 000009
【図８】
2020023844.tif 000010